(57)【要約】【課題】  ディスクを載置して出し入れするトレイを備えたディスク装置であって、トレイに載置したディスクが位置ズレして凹部に嵌っていなくても、トレイを搬入する際には自動的に該凹部に嵌るようにしたディスク装置の提供。【解決手段】  トレイ上面２２にはディスク２１を嵌めて位置決めする為の凹部１３を概略半円弧の外周縁を対にした状態で形成し、該外周縁はディスク外周部底面が載る載置平面１６とディスク外周を位置決めする内周面１５を有し、上記載置平面１６は凹部底面１８より高い位置に形成すると共に、載置平面１６の先端部を傾斜して凹部底面１８と同一面としている。【選択図】    図１
2006209819.tif 000002
【特許請求の範囲】
【請求項１】
装置外部にてディスクを載置して前記ディスクを装置内部へと搬送する為の出し入れ可能なトレイを備えたディスク装置において、前記トレイにはディスクを載置する為の凹部を概略半円弧の外周縁を対にして形成し、前記凹部の外周縁には前記ディスク外周縁近傍の底面が当接する載置面と前記ディスク外周縁が当接して位置決めする内周面とを有し、前記載置面は前記凹部の底面より高い位置に形成すると共に、前記載置面の端部を傾斜して前記凹部の底面と連結したことを特徴とするトレイを備えたディスク装置。
【請求項２】
前記凹部外周縁の中間部に平面状の載置面を形成し、前記載置面の端部より前記凹部底面に向かって傾斜する傾斜面を連続して形成した請求項１記載のトレイを備えたディスク装置。
【請求項３】
前記凹部の概略半円弧状に形成した一方の外周縁を含む位置にトレイの上下面を貫通する開口を形成し、分割した前記凹部の外周縁の開口側には前記ディスク外周縁近傍の底面が当接する載置面を形成し、反対側には前記凹部の底面に向かって傾斜する傾斜面を形成した請求項１、又は請求項２記載のトレイを備えたディスク装置。
【請求項４】
前記複数形成した載置面において、前記凹部の底面から載置面までの高さを同じとし、前記トレイの載置面に載置するディスクが前記凹部の底面と略平行と成るように３点以上で支持するようにした請求項３記載のトレイを備えたディスク装置。
【発明の詳細な説明】
【技術分野】
【０００１】
本発明はトレイ上に位置ズレして載せたディスクであっても、自動的に所定の位置に位置決めされ得るディスク装置に関するものである。
【背景技術】
【０００２】
ディスク装置はＣＤやＤＶＤ等のディスクをターンテーブルに装着した状態で回転しながら、情報の記録・再生が行われる訳で、上記ターンテーブルに装着する方法は色々ある。その代表的な方法は、前進・後退動するトレイに載せて装置本体へ搬入する方法であり、又ディスクを挿入口から一部挿入することで該装置内部に設けていている引き込み搬入装置によって、ディスクを所定の位置まで引き込んでターンテーブルに装着する方法もある。
【０００３】
本発明が対象とするディスク装置は前者の方法であり、装置にはディスクを載せて出し入れする為のトレイが備わっている。該トレイはディスク装置に設けているガイドに沿ってスライドすることが出来るように、モーターで回転する駆動ギアがトレイのラックと噛み合い、ディスクをセットしたり取外す場合には、該トレイが引出されたオープン状態となり、セットされたディスクはトレイが閉じることでディスク装置の内部に収容される。そして、ディスクを再生する時にはトラバースユニットが上昇してトレイに載っているディスクを持ち上げ、ターンテーブル上にクランプした状態でモーターにて高速回転する。
【０００４】
図１１は従来のディスク装置を示していて、(ａ)はトレイ１が引出されたオープン状態の場合、(ｂ)はトレイ１が後退して閉じた場合である。ところで、ディスクをセットする場合、トレイ１はオープン状態になるように大きく突出する。すなわち、ディスクを所定の位置に位置決めセット出来るようにトレイには円形凹部の段差が形成されていて、少なくとも円形凹部が装置本体から外部へ露出するまでトレイ１は突出する。
【０００５】
ディスクは搬出されて突出したトレイ１の円形凹部に嵌って位置決め載置されるが、時には該凹部に正しく嵌らない状態で装置内へ搬入される。その結果、上昇するターンテーブルに載置することが出来ず、勿論、クランパーにてクランプすることも不可能と成る。上昇するターンテーブルとクランパーとにディスクが挟まれて記録面を損傷する危険性があり、又ターンテーブルが損傷することもある。勿論、トレイ１からディスクがはみ出した状態で装置本体へ搬入されるならば、該トレイ１の入口にディスクが引っ掛かって破損する虞もある。
【０００６】
特開２００３−３０３４６２号に係る「ディスク装置」は、ディスクトレイのディスク装填部に、外周から内周へ向かう連続した下り勾配の傾斜面を形成している。従って、ディスク装填部に載置されるディスクは外周部だけが接する為に、ディスク記録面が損傷することはない。しかし、トレイの装填部を内周に向いて傾斜していることが、トレイの載置面から予めズレた状態で載置されるディスクの位置決めとして機能することはない。
【０００７】
特開２００４−２７３０６５号に係る「ディスクローディング装置」は、ディスクのズレの方向に関わらず、ディスクを自動的に正しく載置させることが可能なものであり、「トレイ部材上面に設けられ、ディスクが載置される凹部は、その奥側周縁部の高さを手前側周縁部の高さより高くして成り、前記凹部の前記奥側周縁部に設けられた爪の高さを、前記手前側周縁部に設けられた爪の高さより高くして成り、前記爪各々は略平板状を成し、前記凹部中心へ向かって垂下するように傾斜して設けられている。」
このように、トレイの凹部周縁部に中心へ向いて傾斜する平板状の爪を設けることで、位置ズレして載置されたディスクは自動的に上記凹部に収容される。しかし、該凹部周縁に傾斜した爪を設けることで、ディスク交換位置へ搬出したトレイの凹部からディスクを取出す際に該ツメが障害に成ってしまう。
【０００８】
図１２は従来の一般的なトレイ１を表している。該トレイ１の上面２には円形凹部３，４が同心をなして設けられ、凹部３には直径１２０ｍｍのディスクが嵌り、凹部４には直径８０ｍｍのディスクが嵌ることが出来る。そして、同図のＡ−Ａ断面拡大図を(ｂ)に示しており、凹部３の外周縁は傾斜面５、内周面６、載置平面７から成り、ディスク外周部の底面は載置平面７に載置される。そして、ディスク外周は内周面６に当たって位置決め・拘束され、載置平面７は凹部底面８より高くなっている為に該凹部底面８との間には段差面１０を有し、また内周面６と上面２との間には傾斜面５を有している。
【０００９】
図１２に示すトレイ１にはディスク９を点線で表しているが、該ディスク９は凹部３に正しく嵌っておらず、この状態でトレイ１を搬入するとディスク９の記録面にキズを付けて損傷する虞がある。トレイ１の入口に該トレイ１からはみ出したディスク９が当たって凹部３に嵌ろうとするが、凹部底面８と載置平面７との段差面１０にディスク９の外周縁が当って該載置平面７に滑り移動して乗り上げることが出来ない。
【特許文献１】特開２００３−３０３４６２号に係る「ディスク装置」
【特許文献２】特開２００４−２７３０６５号に係る「ディスクローディング装置」
【発明の開示】
【発明が解決しようとする課題】
【００１０】
このように、従来のディスク装置には上記のごとき問題がある。本発明が解決しようとする課題はこれら問題点であり、極めて簡単な形態を成したしトレイでもって、位置ズレして載置したディスクが正しく凹部にセットされ、又取外し操作に支障を来たすことのないトレイを備えたディスク装置を提供する。
【課題を解決するための手段】
【００１１】
本発明が対象とするディスク装置はトレイを備え、該トレイにはディスクを位置決めして載置する為の凹部が設けられている。凹部は一般的に２種類形成され、１２０ｍｍ用ディスクと８０ｍｍ用のディスクが載置され得る大きさの凹部と成っている。ところで、トレイの幅寸法の関係上、１２０ｍｍ用凹部を形成す外周縁は全周が形成されることなく両側部は切欠かれている。すなわち、トレイの前後に対を成す半円弧の外周縁にて形成している。
【００１２】
そして、上記凹部を形成する外周縁はディスク外周部下面を支持する為に凹部底面より高くした載置平面、ディスク外周が当たって位置決め・拘束される内周面、そしてトレイ上面と内周面とを繋ぐ傾斜面から成っている。これは、従来のトレイ凹部の外周縁を同じであるが、本発明の場合には上記載置平面の両端部には先端側を低くした傾斜面を形成している。上記載置平面は凹部底面より高い位置に形成され、傾斜面の先端は凹部底面又は凹部底面付近と成っている。
【発明の効果】
【００１３】
本発明のディスク装置は、トレイの載置平面両端部に先端側を低くした傾斜面が形成されている為に、凹部に嵌って正しく載置されなかったディスクは、自動的に該凹部に嵌ることが出来る。すなわち、ディスク外周部は傾斜面に沿って滑り、従来のように先端側も水平面で構成した載置平面に比較して凹部に嵌り易くなる。すなわち、ディスクが滑り移動するに際して載置平面と凹部底面との間に形成される段差面に当ることがない。従って、凹部に嵌ったディスクはトレイが搬入したディスク再生位置では、トラバースユニットが上昇することでターンテーブルに載置され、ディスクが損傷することはない。
【実施例】
【００１４】
図１は本発明に係るディスク装置に装着されるトレイ１１を表している。該トレイ１１は同図に示すように、長方形の板状態であり中央部には長方形の開口１２を貫通して有し、またディスクが嵌る凹部１３，１４を同心を成して設けている。凹部１３は直径１２０ｍｍのディスク用であり、凹部１４は直径８０ｍｍのディスク用として形成され、基本的な形態は前記図１２に示すトレイ１と共通している。凹部１３は概略半円弧状の外周縁が対を成して形成されているが、トレイ中央部に開口１２を貫通して設けたことで、一方側の外周縁は左右に分断している。
【００１５】
図２は図１のＢ−Ｂ断面を示しており、凹部１３と凹部１４はその高さを違わせて段違いに形成し、凹部１４が凹部１３に対して低く成っている。そして、凹部１３の外周縁は傾斜して形成した内周面１５、水平な載置平面１６、それに段差面１７を有し、凹部１３に嵌るディスク外周部底面が上記載置平面１６に載置され、凹部底面１８との間には隙間を残し、ディスクの記録面が接しない構造と成っている。同じく、図３は図２のＣ部拡大図を表しており、凹部１４に嵌めたディスクもその記録面が接しないように、載置平面１９が凹部底面２０より高く成っている。
【００１６】
図４は凹部１３の外周縁の一部を表している斜視図であり、凹部底面１８との間に段差面１７を介して高い位置に形成している載置平面１６は、その先端部が水平面ではなく傾斜している。従って、段差面１７の高さが次第に小さく成り、載置平面１６が傾斜したその先端は凹部底面１８と同一面と成っている。凹部１３を構成する外周縁は２個の概略半円弧にて形成され、載置平面１６，１６の４箇所の両先端部が図４に示すように傾斜している。
【００１７】
ところで、図５は該トレイ１１にディスク２１を載置した場合であるが、該ディスク２１は位置ズレして凹部１３に正しく嵌っていない。すなわち、前記図１２に示した場合と同じであって、ディスク２１の一方側は凹部底面１８に位置し、他方側は上面２２に位置している。従って、該ディスク２１は位置ズレしたことで、傾斜して配置されている。
【００１８】
図６は前記図５に示すディスク２１の状態を表す断面図である。同図に示すように、傾斜したディスク２１は位置ズレして凹部１３からはみ出すと共に、トレイ１１の外側からもはみ出した状態にある。トレイ１１の凹部１３から位置ズレして載置されたディスク２１は、凹部１３側に重心が偏った状態にある為に図６に示すようにディスク２１が傾き、この状態から傾斜した載置平面１６，１６に沿ってディスク２１が凹部１３に嵌る方向へと自動的に滑動を開始する。
【００１９】
図７、図８はこの状態を示し、ディスク２１の外周が載置平面１６の先端位置まで移動している。しかし、まだディスク２１は凹部１３に嵌った状態にはない。さらに、トレイ１１上に位置ズレして載置されたディスク２１が傾斜した載置平面１６に沿って滑動するならば、ディスク２１が該トレイ１１の外側からのはみ出し部分がなくなる。図９、図１０はこの状態を表し、ディスク２１はトレイ１１の凹部１３に嵌って正しく位置決めされることに成る。
【００２０】
本発明では、ディスク外周部底面が載る載置平面１６の先端部が傾斜し、その先端は凹部底面１８と同一面と成っている。そこで、前記図７、図８の状態にあるディスク２１は何の支障もなく滑動することが出来る。従来のトレイ１の場合、載置平面７の先端部も段差面１０を有して凹部底面８から高く成っている為に、ディスク９が滑動するに際してディスク９の外周縁が段差面１０に当ってしまい、載置平面７に載ることが出来なかった。
【００２１】
これに対して、本発明では載置平面１６の先端では段差面１７が０と成っていることから、ディスク２１はスムーズに滑動することが可能になる。ここで、トレイ１１の外側からはみ出したディスク２１が滑動する訳であり、はみ出し部分が無くなると同時にディスク２１が凹部１３に嵌ることが出来るように、トレイ１１の幅寸法はディスク外径とほぼ同一寸法に設定されている。
【００２２】
又、本発明の実施例において、トレイ１１がディスク２１の交換が可能な装置の外部に静止した状態から位置ズレして載置したディスク２１が載置平面１６の傾斜に沿って自動的に滑動することによって凹部１３に嵌る説明を行ったが、本発明はこれに限定するものではない。例えば、トレイ上に位置ズレしてディスク２１を載置した状態でトレイ１１が装置内部へと搬送を開始し、ディスク２１のはみ出した部分がトレイ１１の入口に押されて凹部１３の方向へと移動する動作をきっかけとしてディスク２１が載置平面１６の傾斜に沿って滑動する場合も含まれる。
【図面の簡単な説明】
【００２３】
【図１】本発明のディスク装置におけるトレイの平面図。
【図２】図１のＢ−Ｂ断面図。
【図３】図２のＣ部拡大図。
【図４】ディスクが載るトレイの載置平面の先端部を示す斜視図。
【図５】トレイにディスクが位置ズレして載った場合の平面図。
【図６】トレイにディスクが位置ズレして載った場合の断面図。
【図７】トレイに位置ズレして載ったディスクが僅かに滑動した場合の平面図。
【図８】トレイに位置ズレして載ったディスクが僅かに滑動した場合の断面図。
【図９】トレイ凹部にディスクが嵌った場合の平面図。
【図１０】トレイ凹部にディスクが嵌った場合の断面図。
【図１１】ディスク装置の断面図で、（ａ）はトレイが搬出している場合、（ｂ）はトレイが搬入されている場合。
【図１２】従来のトレイを示す平面図。
【符号の説明】
【００２４】
11  トレイ
12  開口
13  凹部
14  凹部
15  内周面
16  載置平面
17  段差面
18  凹部底面
19  載置平面
20  凹部底面
21  ディスク
22  上面
【図１】
2006209819.tif 000003
【図２】
2006209819.tif 000004
【図３】
2006209819.tif 000005
【図４】
2006209819.tif 000006
【図５】
2006209819.tif 000007
【図６】
2006209819.tif 000008
【図７】
2006209819.tif 000009
【図８】
2006209819.tif 000010
【図９】
2006209819.tif 000011
【図１０】
2006209819.tif 000012
【図１１】
2006209819.tif 000013
【図１２】
2006209819.tif 000014